(57)【要約】      （修正有）【課題】ローリングスイベルがリアフック等に絡み付く事態を低減させ、快適に魚を釣ることができるブレード付きルアーを提供する。【解決手段】ルアー本体２の後方部にローリングスイベル３を介してブレード４を回転可能に連結したブレード付きルアーにおいて、ルアー本体の後端部側に、ローリングスイベルの少なくとも一部が埋め込まれて固定されている。ルアー本体の後端部からブレードまでの連結長さが短くなり、矢印Ｓで示すようにブレードの上下動の幅が小さくなる。これにより、ローリングスイベルがリアフック８に絡み付く事態が低減される。【選択図】図１
0003194541.tif 000002
【実用新案登録請求の範囲】
【請求項１】
ルアー本体の後方部にローリングスイベルを介してブレードを回転可能に連結したブレード付きルアーにおいて、
前記ルアー本体の後端部側には、前記ローリングスイベルの少なくとも一部が埋め込まれて固定されてなるブレード付きルアー。
【請求項２】
前記ルアー本体は、金属で形成された頭部側の金属製本体部と、軟質合成樹脂で形成された後部側の軟質樹脂製本体部とで構成され、
前記金属製本体部の内部には、連結用ワイヤーの一端部が固定され、
前記連結用ワイヤーの他端部は、前記軟質樹脂製本体部を貫通し、当該軟質樹脂製本体部に埋め込まれた前記ローリングスイベルの埋め込み側端部に連結してなる請求項１に記載のブレード付きルアー。
【考案の詳細な説明】
【技術分野】
【０００１】
本考案は、釣りの疑似餌として使用されるブレード付きルアーの改良に関する。
【背景技術】
【０００２】
図２の（ａ）は従来のブレード付きルアー１１を示す。このブレード付きルアー１１は、魚の胴体部の形をしたルアー本体２を有し、このルアー本体２の後方部にローリングスイベル３を介してブレード４を回転可能に連結している。ローリングスイベル３は、同図の（ｂ）に示すように、夫々金属線を屈曲して環部５ａ，６ａと拡開部５ｂ，６ｂとからなる止め環５，６を形成し、止め環５，６の拡開部５ｂ，６ｂを、短円筒状のスイベル本体７内にその両端部から夫々挿入した後、スイベル本体７の両端部を絞り込むことによって、止め環５，６を、スイベル本体７の両端部に夫々回転可能に取り付けている。そして、一方の止め環５に連結部材１８の一端部をつなぎ、その他端部側をルアー本体２の後端部に固定し、他方の止め環６にスプリットリング１９を介してブレード４を回転可能に連結している。このブレード４は、ルアー本体２の後方で高速回転させることにより魚をおびき寄せ、その集魚効果により魚が興味を抱いてルアー本体２に近寄り、食い付こうとするものである。尚、ルアー本体２は、金属、合成樹脂又は木材によって形成されている。
【０００３】
図２の（ａ）において、８はリアフック、９はフロントフック、２０はルアー本体２に埋設されたフックハンガー形成用金物で、リアフック８は、フックハンガー形成用金物２０の後部フックハンガー２１にスプリットリング２３を介して取り付けられ、フロントフック９は、前部フックハンガー２２にスプリットリング２４を介して取り付けられている。
【考案の概要】
【考案が解決しようとする課題】
【０００４】
しかしながら、上記した図２の（ａ）に示すようなブレード付きルアー１１によれば、ローリングスイベル３は、その全体がルアー本体２の後端部から後方へ長く突出した状態に取り付けられているため、図２の（ａ）の矢印Ｌで示すようにブレード４の上下動の幅（自由度）が大きくなって、リアフック８に絡み付くことが多々あり、そうなるとブレード４が機能しなくなって、魚を惹き付けることができなくなるという問題があった。
【０００５】
そこで、本考案は、上記問題に鑑み、ルアー本体２の後端部からブレード４までのローリングスイベル３による連結長さを極力短くすることで、ブレード４の上下動の幅（自由度）を小さくし、もって、ローリングスイベル３がリアフック８等に絡み付くことを低減させ、快適に魚を釣ることができるブレード付きルアーを提供することを目的としている。
【課題を解決するための手段】
【０００６】
上記課題を解決するための手段を、後述する実施形態の参照番号を付して説明する。なお、本考案はこれに限定されるものではない。
【０００７】
請求項１に係る考案は、ルアー本体２の後方部にローリングスイベル３を介してブレード４を回転可能に連結したブレード付きルアーにおいて、
前記ルアー本体２の後端部側には、前記ローリングスイベル３の少なくとも一部が埋め込まれて固定されてなることを特徴としている。
【０００８】
請求項２は、上記請求項１に記載のブレード付きルアーにおいて、前記ルアー本体２は、金属で形成された頭部側の金属製本体部２ａと、軟質合成樹脂で形成された後部側の軟質樹脂製本体部２ｂとで構成され、
前記金属製本体部２ａの内部には、連結用ワイヤー１２の一端部が固定され、
前記連結用ワイヤー１２の他端部は、前記軟質樹脂製本体部２ｂを貫通し、当該軟質樹脂製本体部２ｂに埋め込まれたローリングスイベル３の埋め込み側端部（止め環５）に連結してなることを特徴としている。
【考案の効果】
【０００９】
上記解決手段による考案の効果を、後述する実施形態の参照番号を付して説明する。なお、本考案はこれに限定されるものではない。
【００１０】
請求項１に係る考案によれば、ローリングスイベル３の少なくとも一部がルアー本体２の後端部側に埋め込まれて固定されているから、ルアー本体２の後端部からブレード４までの長さが、従来のブレード付きルアー１１の場合に比べて短くなる（図２の（ａ）参照）。これにより、図１の（ａ）に矢印Ｓで示すようにブレード４の上下動の幅（自由度）が小さくなって、ローリングスイベル３がリアフック８に絡み付くことが低減され、もって、快適に魚を釣ることができる。
【００１１】
また、請求項２に係る考案によれば、金属製本体部２ａの内部に一端部１２ａを固定した連結用ワイヤー１２の他端部１２ｂを、軟質樹脂製本体部２ｂを貫通して、当該軟質樹脂製本体部２ｂに埋め込まれたローリングスイベル３の埋め込み側端部（止め環５）に連結している。これにより、ローリングスイベル３が軟質樹脂製本体部２ｂの後端部から抜け落ちるのを防止することができる。
【図面の簡単な説明】
【００１２】
【図１】（ａ）は本考案に係るブレード付きルアーの全体側面図、（ｂ）は（ａ）に示すブレード付きルアーの一部断面拡大図である。
【図２】（ａ）は従来のブレード付きルアーの全体側面図、（ｂ）はローリングスイベルの一部断面拡大側面図である。
【考案を実施するための形態】
【００１３】
以下に本考案の一実施形態について図１の（ａ），（ｂ）を参照しながら説明する。本実施形態に係るブレード付きルアー１は、魚の胴体部の形をしたルアー本体２を有し、このルアー本体２の後方部に、ローリングスイベル３を介してブレード４が回転可能に連結されている。このローリングスイベル３は、図２に示される従来のブレード付きルアー１１に取り付けられるものと同じで、夫々金属線を屈曲して環部５ａ，６ａと拡開部５ｂ，６ｂとからなる止め環５，６を形成し、両止め環５，６の拡開部５ｂ，６ｂを、短円筒状のスイベル本体７内にその両端部から夫々挿入した後、両端開口部７ｏ，７ｏを絞り込んで縮径することにより、止め環５，６を、スイベル本体７の両端部に夫々回転可能に取り付けている。
【００１４】
ところで、このローリングスイベル３は、図１の（ｂ）に示すように、少なくとも一部（図示では、全体長さの半分程度、すなわち、スイベル本体７の長さの８〜９割に相当する部分）がルアー本体２の後端部に埋め込まれて固定され、このルアー本体２の後端部から突出するローリングスイベル３の一方の止め環６にスプリットリング１９を介してブレード４が取り付けられている。このスプリットリング１９は、ローリングスイベル３の一方の止め環６と、ブレード４の一端部に設けられた取付孔４ａとに嵌め込まれており、もう一方の止め環５は、スイベル本体７と共にルアー本体２の後端部に埋め込まれている。
【００１５】
このブレード付きルアー１のルアー本体２には、図２の（ａ） に示す従来のブレード付きルアー１１と同じく、フックハンガー形成用金物２０が埋設されている。このフックハンガー形成用金物２０の後部フックハンガー２１にスプリットリング２３を介してリアフック８が取り付けられ、前部フックハンガー２２にはスプリットリング２４を介してフロントフック９が取り付けられている。
【００１６】
上記のようにローリングスイベル３の少なくとも一部（図示では、全体長さの半分程度、すなわち、スイベル本体７の長さの８〜９割に相当する部分）がルアー本体２の後端部に埋め込まれて固定されることにより、ルアー本体２の後端部からブレード４までのローリングスイベル３による連結長さが、図２の（ａ）に示す従来のブレード付きルアー１１より短くなり、もって、図１の（ａ）に矢印Ｓで示すようにブレード４の上下動の幅（自由度）が図２の（ａ）に示す従来の場合に比べて小さくなる。これにより、ローリングスイベル３がリアフック８に絡み付く事態が低減され、快適に魚を釣ることができる。
【００１７】
なお、本実施形態においては、ローリングスイベル３の半分程度がルアー本体２の後端部に埋め込まれている例を示したが、それに限らず、ローリングスイベル３がリアフック８に絡み付く事態が低減されるのであれば、特に規定はされない。例えば、スイベル本体７の長さの１〜２割が後端部に埋め込まれていても良く、さらには、半分程度が後端部に埋め込まれていても良く、あるいは、スイベル本体７が全て後端部に埋め込まれていても良い。
【００１８】
ところで、このブレード付きルアー１のルアー本体２は、図１の（ａ）に示すように、金属で形成された頭部側の金属製本体部２ａと、軟質合成樹脂で形成された後部側の軟質樹脂製本体部２ｂとで構成され、ローリングスイベル３は、この軟質樹脂製本体部２ｂの後端部に埋め込まれている。しかしながら、この軟質樹脂製本体部２ｂにそのままローリングスイベル３を埋め込むと、軟質樹脂製本体部２ｂの後端部からローリングスイベル３が抜け落ちるおそれがある。それゆえ、本実施形態においては、図１の（ａ），（ｂ）に示すように、金属製本体部２ａの内部に一端部を固定した連結用ワイヤー１２の他端部を、軟質樹脂製本体部２ｂに貫通して、当該軟質樹脂製本体部２ｂに埋め込まれたローリングスイベル３の止め環５の環部５ａに連結し、一端部をフックハンガー形成用金物２０の金属製本体部側埋設部分２０ａの所要部に掛止固定している。
【００１９】
このように、金属製本体部２ａの内部に一端部１２ａを固定した連結用ワイヤー１２の他端部１２ｂを、軟質樹脂製本体部２ｂを貫通して、当該軟質樹脂製本体部２ｂに埋め込まれたローリングスイベル３の止め環６の環部５ａに連結するようにすれば、ローリングスイベル３が軟質樹脂製本体部２ｂの後端部から抜け落ちるのを防止することができる。
【００２０】
なお、ルアー本体２の金属製本体部２ａには、鉛や亜鉛等の金属が使用され、また軟質樹脂製本体部２ｂには、ソフト塩化ビニールである軟質のポリ塩化ビニールが使用される。さらに、ブレード４は、アルミニウム、チタン、ステンレス、真鍮等よって形成される。また、金属製本体部２ａと軟質樹脂製本体部２ｂとは、接着剤等で取り外し不能に構成しても良く、取り外し可能に構成しても良い。
【００２１】
ところで、本実施形態に示すローリングスイベル３の構造は、一例であって、これに限定されるものではなく、ルアー本体２の後方部でブレード４を回転可能に連結するものであれば、どのような構造でもよい。
【符号の説明】
【００２２】
１            （本実施形態に係る）ブレード付きルアー
２            ルアー本体
２ａ          金属製本体部
２ｂ          軟質樹脂製本体部
３            ローリングスイベル
４            ブレード
５            止め環（埋め込み側端部）
１１          （従来の）ブレード付きルアー
１２          連結用ワイヤー
【図１】
0003194541.tif 000003
【図２】
0003194541.tif 000004